(57)【特許請求の範囲】
【請求項１】
少なくとも一部に開口部を有した筐体と、該筐体の開口部を開閉する第１の扉と、前記筐体の内部に位置して前記第１の扉とは独立して開閉する第２の扉を有する保管庫と、前記第１及び第２の扉を夫々開錠又は施錠する第１及び第２のロック手段と、該第１及び第２のロック手段の施開錠状態を夫々検知する第１及び第２のロックセンサと、前記第１の扉の開閉状態を検知する第１の扉開閉センサと、前記第１の扉が不正に開放されたと見做した場合に警報を発する警報手段と、前記第２のロック手段を自動的に開錠又は施錠する自動施開錠手段と、前記第１の扉開閉センサ及び前記第１のロックセンサの検知状態に基づいて前記警報手段及び前記自動施開錠手段を作動させる制御手段と、を備えた保管庫の防犯装置であって、
前記制御手段は、前記第１の扉開閉センサが閉の状態で、前記第１ロックセンサが施錠を検知していない状態では、前記第２のロック手段は施錠せず、前記第１ロックセンサが施錠を検知すると、前記自動施開錠手段を動作させて第２のロック手段を自動的に施錠し、前記第２のロック手段が自動施錠された状態において、前記第１ロックセンサが開を検出知した後に、前記第１の扉開閉センサが開を検知したとき前記第２のロック手段を自動開錠させる一方、前記第１のロックセンサが開を検知していないにもかかわらず前記第１の扉開閉センサが扉の開状態を検知した場合は、前記第１の扉が不正に開放されたと見做して、前記警報手段を作動させると共に、前記第２のロック手段の施錠状態を保持することを特徴とする保管庫の防犯装置。
【請求項２】
前記各センサの動作状態が正常であるか否かを表示する状態表示手段を備え、前記制御手段は、前記第１及び第２のロックセンサ、及び前記第１の扉開閉センサが全て閉状態を示している場合は、該保管庫の防犯装置が正しく施錠されたと見做して、前記状態表示手段により施錠が正常になされている旨を表示することを特徴とする請求項１に記載の保管庫の防犯装置。
【請求項３】
前記第２の扉に該扉の開閉状態を検知する第２の扉開閉センサを備え、前記制御手段は前記第２のロックセンサが閉状態を検知しているにもかかわらず前記第２の扉開閉センサが扉の開状態を検知した場合に、該第２の扉が不正に開放されたと見做して前記警報手段を作動させることを特徴とする請求項１又は２に記載の保管庫の防犯装置。
【請求項４】
前記筐体が金銭取扱装置を構成するものであり、前記保管庫は金銭を収納するためのものであることを特徴とする請求項１乃至３の何れか一項に記載の保管庫の防犯装置。
【発明の詳細な説明】
【技術分野】
【０００１】
本発明は、保管庫の防犯装置に関し、さらに詳しくは、保管庫等の貴重品を保管する保管庫に装備される防犯装置のセキュリティ性能を高める技術に関するものである。
【背景技術】
【０００２】
近年、多くの企業、金融機関等では、夜間のセキュリティを確保するために、建造物の出入り口や主要な場所にセンサを設置し、不審者が侵入した場合に警備会社にその情報を報知し、当該地域の警備を担当する警備員に連絡して現場に急行させるセキュリティシステムが利用されている。また、貴重品等を保管する金庫等にセンサを取り付けて、窃盗犯による金庫の破壊を検知するシステムがある。しかし、いずれの場合も、センサにより検知されてから現場に警備員が到着するまでに所定の時間を要するため、警備員が到着した後では手遅れになっている場合が多い。
そこで、警備員が到着するまでの時間を稼ぐ手段として特許文献１には、キャッシュディスペンサーの金庫をプロテクターとガードレールで保護し、破壊に時間が掛かるようにするキャッシュディスペンサー防犯装置について開示されている。また、特許文献２には、ＡＴＭに設けられた金庫を金庫扉、化粧扉の二重構造にして、金庫扉の施錠忘れを確認できるＡＴＭについて開示されている。
【先行技術文献】
【特許文献】
【０００３】
【特許文献１】特開２０００−３５２２７０公報
【特許文献２】特開２００５−２６７１３０公報
【発明の概要】
【発明が解決しようとする課題】
【０００４】
しかしながら、特許文献１に開示されている従来技術は、正規の保管庫管理者による通常の保管庫の開閉作業時には鍵の開錠、施錠、及びプロテクターとガードレールの移動を行わなければならず、操作が面倒であるといった問題がある。
また、特許文献２に開示されている従来技術は、施錠時の施錠忘れを防止する発明であり、化粧扉を破壊して開けられた場合でも異常を検知することができないといった問題がある。
本発明は、かかる課題に鑑みてなされたものであり、施錠可能な筐体内に貴重品を保管する保管庫等を収納して、筐体のロックセンサが閉状態を示しているにもかかわらず、筐体の扉が開放された場合を異常として検知して警報を発したり、警報と同時に保管庫等の扉の錠を無条件に施錠することにより、保管庫等の管理者の施錠、開錠の手間を削減しつつ異常が発生したときには警備員が到着するまでの時間を可能な限り稼いで保管庫等の中身が盗難されるのを防止する保管庫の防犯装置を提供することを目的とする。
【課題を解決するための手段】
【０００５】
本発明はかかる課題を解決するために、請求項１は、少なくとも一部に開口部を有した筐体と、該筐体の開口部を開閉する第１の扉と、前記筐体の内部に位置して前記第１の扉とは独立して開閉する第２の扉を有する保管庫と、前記第１及び第２の扉を夫々開錠又は施錠する第１及び第２のロック手段と、該第１及び第２のロック手段の施開錠状態を夫々検知する第１及び第２のロックセンサと、前記第１の扉の開閉状態を検知する第１の扉開閉センサと、前記第１の扉が不正に開放されたと見做した場合に警報を発する警報手段と、前記第２のロック手段を自動的に開錠又は施錠する自動施開錠手段と、前記第１の扉開閉センサ及び前記第１のロックセンサの検知状態に基づいて前記警報手段及び前記自動施開錠手段を作動させる制御手段と、を備えた保管庫の防犯装置であって、前記制御手段は、前記第１の扉開閉センサが閉の状態で、前記第１ロックセンサが施錠を検知していない状態では、前記第２のロック手段は施錠せず、前記第１ロックセンサが施錠を検知すると、前記自動施開錠手段を動作させて第２のロック手段を自動的に施錠し、前記第２のロック手段が自動施錠された状態において、前記第１ロックセンサが開を検出知した後に、前記第１の扉開閉センサが開を検知したとき前記第２のロック手段を自動開錠させる一方、前記第１のロックセンサが開を検知していないにもかかわらず前記第１の扉開閉センサが扉の開状態を検知した場合は、前記第１の扉が不正に開放されたと見做して、前記警報手段を作動させると共に、前記第２のロック手段の施錠状態を保持することを特徴とする。
【０００６】
本発明では、最も外側に配置された第１の扉が開放された時点から、この開放動作が正常か否かの判断を開始する。正常時は順番としてまず最も外側の第１の扉が開錠され、次にその扉が開放される筈である。しかし、鍵を所持しない侵入者が第１の扉を開放する場合は、第１の扉を破壊して開けるしかない。従って、そのときは第１の扉開放センサは開放状態となるが、その扉の第１のロックセンサは正常に開放状態を示さなくなる。この違いを制御手段が検知することにより、第１の扉が不正に開放されたと見做して、最も内側に配置された第２のロック手段の状態を保持する。また、一般にセンサが取り付けられている保管庫の防犯装置は、その状態を常時、警備会社にオンラインで通報できる体制となっている。従って、保管庫の防犯装置に何か異常が発生した場合は、その状態を検知してアラームとして警備会社に報知する通信手段を備えておく必要がある。これにより、最も外側の第１の扉が不正に開放されても、最も内側の第２の扉は施錠されたままであるので、開けるまでに多くの時間を要することになり、警備員が到着するまでの時間を稼ぐことができる。また、不要に第２のロック手段を動作させないので、ロック手段の機械的な寿命を長くすることができる。更に異常状態をリアルタイムに連絡することができる。
【０００８】
請求項２は、前記各センサの動作状態が正常であるか否かを表示する状態表示手段を備え、前記制御手段は、前記第１及び第２のロックセンサ、及び前記第１の扉開閉センサが全て閉状態を示している場合は、該保管庫の防犯装置が正しく施錠されたと見做して、前記状態表示手段により施錠が正常になされている旨を表示することを特徴とする。
扉の数が多くなるとそれだけ施錠を確認する手間が増える。そこで本発明では、各センサの動作状態が正常であるか否かを表示する状態表示手段を備え、全ての扉が閉止されていることをセンサにより検知すると状態表示手段により施錠ＯＫの旨を表示する。これにより、施錠した後に外部から施錠状態を簡単に且つ確実に確認することができる。
【０００９】
請求項３は、前記第２の扉に該扉の開閉状態を検知する第２の扉開閉センサを備え、前記制御手段は前記第２のロックセンサが閉状態を検知しているにもかかわらず前記第２の扉開閉センサが扉の開状態を検知した場合に、該第２の扉が不正に開放されたと見做して前記警報手段を作動させることを特徴とする。
第１の扉の鍵を所持した者が第１の扉を正規に開放して、第２の扉を不正に開放することもある。このような場合、第２の扉に扉開閉センサを備えていないと、異常を検知できない場合がある。そこで本発明では、第２の扉に扉の開閉状態を検知する第２の扉開閉センサを備え、第２の扉開閉センサが扉の開状態を検知し、且つ第２のロックセンサが閉状態を検知している場合に、第２の扉が不正に開放されたと見做す。これにより、第１の扉により検知できなかった場合でも、最終的に異常検知として報知することができる。
請求項４は、前記筐体が金銭取扱装置を構成するものであり、前記保管庫は金銭を収納するためのものであることを特徴とする。
本発明では、例えば、筐体が自動販売機やＡＴＭ等の金銭取扱装置を構成するもので、保管庫が金銭収納庫（保管庫）であってもよい。これにより、金銭を取り扱う装置に広く適用することができる。
【発明の効果】
【００１０】
本発明によれば、第１の扉開放センサは開放状態となるが、その扉の第１のロックセンサは正常に開放状態を示さないことを制御手段が検知することにより、第１の扉が不正に開放されたと見做して、最も内側に配置された第２のロック手段を施錠するので、最も外側の第１の扉が不正に開放されても、最も内側の第２の扉は施錠されてしまい、開けるまでに多くの時間を要することになり、警備員が到着するまでの時間を稼ぐことができる。
また、最も外側の第１の扉が不正に開放された場合、最も内側の第２の扉が施錠されるので、開けるまでに多くの時間を要することになり、警備員が到着するまでの時間を稼ぐことができる。また、異常状態をリアルタイムに連絡することができる。
また、各センサの動作状態が正常であるか否かを表示する状態表示手段を備え、全ての扉が閉止されていることをセンサにより検知すると状態表示手段により施錠ＯＫの旨を表示するので、施錠した後に外部から施錠状態を簡単に且つ確実に確認することができる。
また、制御手段は、第１のロックセンサ、及び第１の扉開閉センサが閉状態を示している場合は、筐体の防犯装置が正しく施錠されたと見做して、状態表示手段により施錠ＯＫの旨を表示するので、施錠した後に外部から施錠状態を簡単に且つ確実に確認することができる。
また、第２の扉に扉の開閉状態を検知する第２の扉開閉センサを備え、第２の扉開閉センサが扉の開状態を検知し、且つ第２のロックセンサが閉状態を検知している場合に、第２の扉が不正に開放されたと見做すので、第１の扉により検知できなかった場合でも、最終的に異常検知として報知することができる。
【図面の簡単な説明】
【００１１】
【図１】本発明の一実施形態に係る保管庫の防犯装置の構成を示す図である。
【図２】本発明の一実施形態に係る保管庫の防犯装置の機能を示すブロック図である。
【図３】本発明の第１の実施形態に係る保管庫の防犯装置を自動で施錠する場合の動作を説明するフローチャートである。
【図４】本発明の第１の実施形態に係る保管庫の防犯装置を自動で開錠する場合の動作を説明するフローチャートである。
【図５】本発明の第２の実施形態に係る保管庫の防犯装置を自動で施錠する場合の動作を説明するフローチャートである。
【図６】本発明の第２の実施形態に係る保管庫の防犯装置を自動で開錠する場合の動作を説明するフローチャートである。
【発明を実施するための形態】
【００１２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１３】
図１は本発明の一実施形態に係る保管庫の防犯装置の構成を示す図であり、図２に示すブロック図を参照しつつ以下構成を説明する。尚、本実施形態では、保管庫（金庫）を筐体内に収容した場合について説明する。この保管庫の防犯装置５０は、貴重品等を保管する保管庫８と、この保管庫８の全体を収容する筐体７と、判定装置（制御手段）３と、各センサの動作状態が正常であるか否かを表示する状態表示器（状態表示手段）１と、を備えて構成されている。尚、保管庫８には保管庫扉（第２の扉）１５を施開錠する保管庫錠（第２のロック手段）６と、この保管庫錠６の動作状態を検知する保管庫錠センサ（第２のロックセンサ）５が備えられている。また、保管庫錠６は鍵により手動で施開錠してもよいし、ロック装置（自動施開錠手段）１１により外部より自動的に施開錠してもよい。また、筐体７には、扉（第１の扉）２を施開錠する筐体錠（第１のロック手段）４と、この筐体錠４の動作状態を検知する筐体錠センサ（第１のロックセンサ）５と、扉２の開閉状態を検知する扉センサ（第１の扉開閉センサ）１０が備えられている。また、状態表示器１が異常を表示したときに、オンラインにより警備会社にその旨を報知する通信手段１２（図２に示す）が備えられている。そした判定装置３は、扉センサ１０が開状態を示したとき、扉２に備えられた筐体錠センサ５が閉状態を示している場合は、扉２が不正に開放（破壊等）されたと見做して、保管庫扉１５の保管庫錠６を施錠するようにロック装置１１を制御する。
【００１４】
即ち、本実施形態では、最も外側に配置された扉２が開放された時点から、この開放動作が正常か否かの判断を開始する。正常時は順番としてまず最も外側の扉２の筐体錠４が開錠され、次にその扉２が開放される筈である。しかし、鍵を所持しない侵入者がこの扉２を開放する場合は、扉２を破壊して開けるしかない。従って、そのときは扉センサ１０は開放状態となるが、その扉２の筐体錠センサ５は正常に開錠状態を示さなくなる。この違いを判定装置３が検知することにより、扉２が不正に開放されたと見做して、最も内側に配置された保管庫扉１５の保管庫錠６を自動的に施錠する。また、予め保管庫扉１５の保管庫錠６が施錠されている場合は、その状態を保持するようにしても良い。これにより、最も外側の扉２が不正に開放されても、最も内側の保管庫扉１５は施錠されてしまい、開けるまでに多くの時間を要することになり、警備員が到着するまでの時間を稼ぐことができる。
尚、本実施形態では、保管庫の防犯装置について説明しているが、例えば、筐体が自動販売機やＡＴＭ等の金銭取扱装置を構成するもので、保管庫が金銭収納庫（金庫）であってもよい。即ち、管理者の錠操作をできるだけ簡略化するものの、二重施錠と同等のセキュリティ強度を備える点がポイントである。これにより、金銭を取り扱う装置に広く適用することができる。
【００１５】
図２は本発明の一実施形態に係る保管庫の防犯装置の機能を示すブロック図である。同じ構成要素には図１と同じ参照番号を付して説明する。保管庫８には保管庫錠６と保管庫錠センサ９と保管庫錠６をロックするロック装置１１を備え、筐体７は、扉センサ１０と、筐体錠４と、筐体錠センサ５を備えている。そして、保管庫錠センサ９と筐体錠センサ５と扉センサ１０からは、判定装置３にセンサ信号を夫々入力し、判定装置３からロック装置１１を制御するロック信号が出力される。また、状態表示器１には、アラームランプ１３とロックＯＫランプ１４が備えられ、判定装置３により制御される。また、アラームランプ１３が点灯したときは、通信手段１２を介して警備会社に異常情報が通知される。
従って、判定装置１３は、扉センサ１０が開状態を示したとき、扉１０に備えられた筐体錠センサ５が開状態を示している場合は、この扉２が正しく開放されたと見做して、保管庫錠１５を開錠するようにロック装置１１を制御する。即ち、セキュリティレベルを高くするためには、扉の数を増やすのが最も確実で簡単である。しかし、扉の数を増やすと、平常時の運用に支障を来たすことになる。そこで本実施形態では、保管庫錠６を自動的に施開錠が可能なようにしておき、扉２が正しく開放されたときは、保管庫錠６を開錠するようにロック装置１１を制御する。これにより、セキュリティレベルを維持しながら運用時の手間を低減することができる。
【００１６】
また、判定装置３は、扉センサ１０が閉状態を示したとき、この扉２に備えられた筐体錠センサ５が閉状態を示している場合は、扉２が正しく閉止されたと見做して、保管庫錠６を施錠するようにロック装置１１を制御する。即ち、本実施形態では、保管庫錠６を自動的に施開錠が可能なようにしておき、扉２が正しく閉止されたときは、保管庫錠６を施錠するようにロック装置１１を制御する。これにより、セキュリティレベルを維持しながら運用時の手間を低減することができる。
また、各センサの動作状態が正常であるか否かを表示する状態表示器１を備え、判定装置３は、扉センサ１０、筐体錠センサ５、及び保管庫錠センサ９が全て閉状態を示している場合は、筐体の防犯装置５０が正しく施錠されたと見做して、状態表示器１によりロックＯＫランプ１４を点灯する。即ち、扉の数が多くなるとそれだけ施錠を確認する手間が増える。そこで本実施形態では、各センサの動作状態が正常であるか否かを表示する状態表示器１を備え、全ての扉が閉止されていることをセンサにより検知すると状態表示器１により施錠ＯＫの旨を表示する。これにより、施錠した後に外部から施錠状態を簡単に且つ確実に確認することができる。
また、状態表示器１は、扉２が不正に開放されたと見做した場合にアラームランプ１３を点灯して通信手段１２を介して警備会社に異常情報を通知する。即ち、一般にセンサが取り付けられている保管庫の防犯装置は、その状態を常時、警備会社にオンラインで通報できる体制となっている。従って、保管庫の防犯装置５０に何か異常が発生した場合は、その状態を検知してアラームとして警備会社に報知する通信手段１２を備えておく必要がある。これにより、異常状態をリアルタイムに連絡することができる。
【００１７】
図３は本発明の第１の実施形態に係る保管庫の防犯装置を自動で施錠する場合の動作を説明するフローチャートである。尚、本実施形態の場合は、保管庫８にはロック装置１１が備えられている場合を想定する。まず、保管庫８に貴重品を収納して保管庫扉１５を閉止する（Ｓ２０）。そして、筐体７の扉２を閉止して（Ｓ２１）、筐体錠４に鍵を差し込んで施錠する（Ｓ２２）。判定装置３は扉センサ１０がＯＮであり且つ筐体錠センサ５がＯＮであることを確認すると（ステップＳ２３でＹ）、保管庫８のロック装置１１をＯＮにして施錠する（Ｓ２４）。この状態で保管庫錠センサ９はＯＮとなる。つぎに判定装置３は全てのセンサがＯＮであるか否かを判定して（Ｓ２５）、全てのセンサがＯＮであれば（ステップＳ２５でＹ）、ロックＯＫランプ１４を点灯する（Ｓ２６）。もし、ロックＯＫランプ１４が点灯しない場合は（ステップＳ２５でＮ）、ロック装置１１が動作しているかを確認する。
本実施形態では、最も内側の保管庫扉１５の保管庫錠６を、自動的に施開錠が可能なようにしておき、扉２が正しく閉止されたときは、保管庫錠６を施錠するようにロック装置１１を制御する。これにより、セキュリティレベルを維持しながら運用時の手間を低減することができる。
扉の数が多くなるとそれだけ施錠を確認する手間が増える。そこで本実施形態では、各センサの動作状態が正常であるか否かを表示する状態表示器１を備え、全ての扉が閉止されていることをセンサにより検知すると状態表示器１によりロックＯＫランプ１４を表示する。これにより、施錠した後に外部から施錠状態を簡単に且つ確実に確認することができる。
【００１８】
図４は本発明の第１の実施形態に係る保管庫の防犯装置を自動で開錠する場合の動作を説明するフローチャートである。尚、本実施形態の場合は、保管庫８にはロック装置１１が備えられている場合を想定する。まず、正常動作について説明する。筐体錠４に鍵を差し込んで筐体錠４を開錠する（Ｓ３０）。判定装置３は筐体錠センサ５の信号がＯＦＦとなると、ロックＯＫランプ１４を消灯する（Ｓ３１）。そして筐体７の扉２を開放する（Ｓ３２）。その結果、筐体錠センサ５と扉センサ１０の信号がＯＦＦとなるので（ステップＳ３３でＹ）、保管庫８のロック装置１１をＯＦＦにして開錠し（Ｓ３４）、保管庫扉１５を開放する（Ｓ３５）。以上が正常動作の説明である。次に、異常動作について説明する。異常動作の場合は、正規の鍵を所持していない侵入者は、筐体７の扉２を開けるには、筐体錠４を破壊する以外に方法がない（Ｓ３６）。このときは筐体錠センサ５は正規の鍵で操作されないため、センサの信号はＯＮ（施錠状態）のままである。そして、筐体７の扉２を開けると（Ｓ３２）、扉センサ１０はＯＦＦとなる。判定装置は扉センサ１０がＯＦＦになったことを検知すると、筐体錠センサ５と扉センサ１０の双方がＯＦＦであるか否かを判定する（Ｓ３３）。ここでは、筐体錠センサ５はＯＮであり、扉センサ１０はＯＦＦであるので（ステップＳ３３でＮ）、扉１０が不正に開放されたと見做してアラームランプ１３をオンする（Ｓ３７）。このときは保管庫錠６はロック装置１１により施錠されているので、その状態を保持する（Ｓ３８）。その結果、破壊して保管庫扉１５を開けるまでに時間を要するため、その間に警備員が到着するか（Ｓ３９）、或いは侵入者があきらめて逃走する。
【００１９】
本実施形態では、最も外側に配置された扉２が開放された時点から、この開放動作が正常か否かの判断を開始する。正常時は順番としてまず最も外側の扉２が開錠され、次にその扉２が開放される筈である。しかし、鍵を所持しない侵入者が扉２を開放する場合は、扉２を破壊して開けるしかない。従って、そのときは扉センサ１０は開放状態となるが、その扉２の筐体錠センサ５は正常に開放状態を示さなくなる。この違いを判定装置３が検知することにより、扉２が不正に開放されたと見做して、最も内側に配置された保管庫扉１５の保管庫錠６の状態を保持する。また、一般にセンサが取り付けられている筐体の防犯装置は、その状態を常時、警備会社にオンラインで通報できる体制となっている。従って、筐体の防犯装置５０に何か異常が発生した場合は、その状態を検知してアラームとして警備会社に報知する通信手段１２を備えておく必要がある。これにより、最も外側の扉２が不正に開放されても、最も内側の保管庫扉１５は施錠されたままであるので、開けるまでに多くの時間を要することになり、警備員が到着するまでの時間を稼ぐことができる。また、不要に保管庫錠６を動作させないので、保管庫錠６の機械的な寿命を長くすることができる。更に異常状態をリアルタイムに連絡することができる。
また、セキュリティレベルを高くするためには、扉の数を増やすのが最も確実で簡単である。しかし、扉の数を増やすと、平常時の運用に支障を来たすことになる。そこで本実施形態では、最も内側の保管庫扉１５の保管庫錠６を、自動的に施開錠が可能なようにしておき、扉２が正しく開放されたときは、保管庫扉１５の保管庫錠６を開錠するようにロック装置１１を制御する。これにより、セキュリティレベルを維持しながら運用時の手間を低減することができる。
【００２０】
以上、図３〜図４では、セキュリティのレベルを高めるために、筐体錠４と保管庫錠６を常に施錠しておき、異常が発生したときに保管庫錠６の施錠状態を保持する方法である。図５〜図６では、筐体錠４は施錠するが、保管庫錠６は施錠せずにしておき、異常が発生したときに保管庫錠６を施錠する方法について説明する。尚、図３〜図４と同じ動作については同じステップ番号を付し説明を省略する。
【００２１】
図５は本発明の第２の実施形態に係る保管庫の防犯装置を自動で施錠する場合の動作を説明するフローチャートである。図５が図３と異なる点は、ステップＳ２４の保管庫錠６をロック装置１１により施錠するステップを省略した点と、ステップＳ２５の全てのセンサがＯＮとなるかを判定するのに対して、ステップＳ４２で扉センサ１０がＯＮとなるかを判定する点である。
本実施形態は運用時の手間を省くために、扉２だけを施錠して、保管庫扉１５は開錠しておく場合の状態表示器１の点灯方法に関する発明である。即ち、判定装置３は、筐体錠センサ５、及び扉センサ１０が閉状態を示している場合は、筐体の防犯装置５０が正しく施錠されたと見做して、状態表示器１によりロックＯＫランプ１４を点灯する。これにより、施錠した後に外部から施錠状態を簡単に且つ確実に確認することができる。
【００２２】
図６は本発明の第２の実施形態に係る保管庫の防犯装置を開錠する場合の動作を説明するフローチャートである。図６が図４と異なる点は、ステップＳ３４の保管庫錠６のロック装置を開錠するのに対して、ステップＳ４１で保管庫錠６の開錠状態を保持する点と、ステップＳ３８で保管庫錠６の施錠を保持するのに対して、ステップＳ４０で保管庫錠６のロック装置１１をＯＮして施錠動作する点である。
即ち、最も外側の扉２が不正に開放された場合、最も内側の保管庫扉１５が施錠されるので、開けるまでに多くの時間を要することになり、警備員が到着するまでの時間を稼ぐことができる。また、異常状態をリアルタイムに連絡することができる。
また、運用時の手間を省くために、扉２だけを施錠して、保管庫扉１５は閉止するが開錠しておくことが考えられる。従って、正常に扉２が開錠された場合は、保管庫扉１５はそのまま開放することができる。即ち、保管庫錠６は扉２が正常に開放された場合は、開錠の状態を保持しておく。これにより、運用時の手間を省くことができ、且つ不要に保管庫扉１５の保管庫錠６を動作させないので、保管庫錠６の機械的な寿命を長くすることができる。
尚、扉２の鍵を不正に入手した者が筐体錠を破壊することなく扉２を開放して、保管庫扉１５を不正に開放することもある。このような場合、制御手段は扉２の開放について異常を検知できない場合がある。そこで、保管庫第扉１５に扉の開閉状態を検知する第２の扉開閉センサを備え、第２の扉開閉センサが扉の開状態を検知し、且つ保管庫錠センサ９が閉状態を検知している場合に、保管庫扉１５が不正に開放されたと見做す。これにより、扉２により検知できなかった場合でも、最終的に異常検知として報知することができる。
【符号の説明】
【００２３】
１  状態表示器、２  扉、３  判定装置、４  筐体錠、５  筐体錠センサ、６  保管庫錠、７  筐体、８  保管庫、９  保管庫錠センサ、１０  扉センサ、１１  ロック装置、１２  通信手段、１３  アラームランプ、１４  ロックＯＫランプ、５０  保管庫の防犯装置
【図１】
0005571338.tif 000002
【図２】
0005571338.tif 000003
【図３】
0005571338.tif 000004
【図４】
0005571338.tif 000005
【図５】
0005571338.tif 000006
【図６】
0005571338.tif 000007